(57)【特許請求の範囲】
【請求項１】
建物を監視する中央監視装置と建物に設けられた端末装置とを通信回線で接続した集中監視システムであって、
前記中央監視装置は、
前記端末装置と通信する手段と、
前記端末装置について予め定めた対処予定回数、及び、前記端末装置から受信した対処モード移行信号に基づいて当該端末装置が対処モードに設定された回数が記憶される記憶部と、
前記記憶された対処予定回数と前記対処モードに設定された回数とを比較し、両者が一致したとき、当該端末装置に対処不許可信号を送出する制御手段とを具備し、
前記端末装置は、
前記中央監視装置と通信する手段と、
対処要員が携行する対処用カードの記憶内容を読み込む手段と、
前記中央監視装置から受信した対処不許可信号及び対処要員データが記憶される記憶手段と、
前記対処用カードから読み込んだ記憶内容を照合して端末装置を対処モードに設定する制御手段と、
前記対処モードに設定されると前記中央監視装置に対処モード移行信号を送出する手段とを具備し、
前記中央監視装置は、更に、前記端末装置に対処許可信号を送出する手段を具備し、
前記端末装置の記憶手段には、更に、前記中央監視装置から受信した対処許可信号が記憶され、
前記端末装置の制御手段は、前記記憶手段に対処許可信号が記憶されているときに前記対処用カードの記憶内容の照合を行い、対処許可信号が記憶されていないときは対処不許可信号が記憶されていないときに前記対処用カードの記憶内容の照合を行うこと、
を特徴とする集中監視システム。
【請求項２】
建物を監視する中央監視装置と通信回線で接続された端末装置であって、
前記中央監視装置と通信する手段と、
対処要員による巡回の有無を設定する設定部と、
前記設定部により設定された巡回の有無及び中央監視装置から受信した対処不許可信号が記憶される記憶部と、
対処要員が携行する対処用カードの記憶内容を読み込む手段と、
前記対処用カードから読み込んだ記憶内容を照合して端末装置を対処モードに設定する制御手段とを具備し、
前記記憶部には、更に、前記中央監視装置から受信した対処許可信号が記憶され、
前記制御手段は、前記記憶部に対処許可信号が記憶されている場合は、前記対処用カードの記憶内容の照合を行い、前記対処許可信号が記憶されていない場合は、前記巡回有りが記憶され、かつ前記対処不許可信号が記憶されていないときに前記対処用カードの記憶内容の照合を行うこと、
を特徴とする端末装置。
【請求項３】
建物を監視する中央監視装置と通信回線で接続された端末装置であって、
前記中央監視装置と通信する手段と、
対処要員による巡回の有無を設定する設定部と、
前記巡回の有無及び端末装置の所属地区を特定する地区コード、並びに、中央監視装置から受信した対処許可信号及び対処用員データが記憶される記憶部と、
対処要員が携行する対処用カードの記憶内容を読み込む手段と、
前記記憶部に前記対処許可信号が記憶されている場合は、前記対処用カードから読み込んだ対処要員データが前記記憶部に記憶された対処要員データと一致したときに端末装置を対処モードに設定し、前記対処許可信号が記憶されていない場合は、前記記憶部に巡回有りが記憶されており、かつ、対処用カードから読み込んだ対処要員の担当地区を特定する担当地区特定コードが前記記憶部に記憶した地区コードと一致したときに端末装置を対処モードに設定する制御手段と、
を具備することを特徴とする端末装置。
【請求項４】
請求項３に記載された端末装置を対処モードに設定する対処用カードであって、
少なくとも、対処要員の担当地区を特定する担当地区特定コードと対処要員データとを記憶する記憶部を具備することを特徴とする対処用カード。
【発明の詳細な説明】
【０００１】
【産業上の利用分野】
本発明は、電話回線などの通信回線を利用して、複数の建物を集中的に監視する集中監視システム、及び、その集中監視システムに使用される端末装置並びに対処用カードに関する。
【０００２】
【従来の技術】
従来より、例えば、警備会社、ビル管理会社等において、複数の監視建物と中央監視センタとを電話回線等の通信回線を介して接続し、中央監視センタにてその複数の建物を集中監視し、監視建物に異常が発生した場合に対処要員が急行し、異常内容の確認及び対応処置を行う集中監視システムがある。
【０００３】
このような集中監視システムにおいては、対処要員が対処する場合に、対処用カード及び鍵を携行して、監視建物に設置した端末装置を操作して端末装置を対処モード即ち解除モード、巡回モードもしくは保守モードに設定していた。
本出願人は、このような集中監視システムにおけるシステムとして以下に説明するシステムを提案している（特許第３４３４５７７号公報）。
【０００４】
この提案したシステムは、１又は複数の端末装置と中央監視装置とを通信回線で接続した集中監視システムにおいて、監視建物にて異常が発生し対処要員が対処する際に、中央監視装置が各端末装置に対処要員コード等からなる対処データを含む対処許可信号を送信する。
各端末装置は、中央監視装置から送信された対処許可信号を記憶する。対処要員が警戒モードにある端末装置において対処データを入力したとき、当該端末装置は、その対処データと中央監視装置から受信した対処許可信号の対処データとを照合する。そして、照合の結果、両対処データが一致した場合に、当該端末装置を対処モードに設定する。
【０００５】
この集中監視システムにおいては、中央監視装置から受信した対処許可信号の対処データと対処要員が入力した対処データとの照合により対処モードへの移行が行われ、対処要員の入館が可能となるため、それまで不可欠であった各監視建物ごとの対処用カードの管理及び携行が不要となる。また、監視建物の出入口扉に電気錠を設け、対処モードに設定されると電気錠が解錠するようにすると、対処要員は鍵を持って対処する必要がなくなる。更に、対処要員による対処データの入力は、カードリーダ及び対処用カードにより実現されるため、簡易な操作によりなされることとなるものである。
【０００６】
【発明が解決しようとする課題】
上記従来の集中監視システムにおいては、一日に１回又は数回は必ず対処要員が点検等のために入館するという物件が存在することがある。この場合、中央監視装置は、その点検のたびに対処許可信号を当該端末装置へ送出することとなる。これは、中央監視装置を操作する管制員の負担を大きいものとしていた。
【０００７】
本発明は、中央監視装置から受信した対処データと対処要員が入力した対処データとの照合により、対処モード等への移行が可能となる集中監視システムにおいて、中央監視センタから対処許可信号を送信する負担を軽減することを目的とするものである。
【０００８】
【課題を解決するための手段】
本願発明は、上記目的を達成するため、集中監視システムに用いる対処用カードに、少なくとも対処要員の担当する地区を特定する担当地区特定コードを記憶する記憶部を設ける。
また、本願発明は、集中監視システムに用いる対処用カードを、記憶部とマイクロプロセッサを有するものにより構成し、少なくとも対処要員の担当する地区を特定する担当地区特定コードを記憶する記憶部と、該記憶部に記憶された担当地区特定コードを端末装置に出力する出力手段とを設ける。
【０００９】
さらに、本願発明は、集中監視システムに用いる端末装置に、巡回の有無を設定する設定部と、巡回の有無及び地区コードを記憶する記憶部と、対処用カードの記憶内容を読み込む手段と、前記設定部に巡回有が設定され、対処用カードから読み込んだ担当地区特定コードが前記記憶部に記憶された地区コードと一致したとき、対処モードに設定する制御手段とを設ける。
【００１０】
また、本願発明は、１又は複数の端末装置と中央監視装置とを通信回線で接続した集中監視システムにおいて、前記中央監視装置は、前記各端末装置について予め定めた対処予定回数を記憶する記憶部と、前記各端末装置における対処回数を記憶する記憶部と、前記対処予定回数と対処回数とを比較し、両者が一致したとき、当該端末装置に対処不許可信号を送出する制御手段とを具備したものとする。
【００１１】
【作用】
対処用カードに対処要員の担当する地区を特定する担当地区特定コードを記憶させたことにより、この担当地区特定コードが端末装置に記憶された地区コードと一致したとき、端末装置が対処モード例えば、解除モード、巡回モード又は保守モードとされる。したがって、対処要員は正当に点検等のために当該区域に入ることができる。
【００１２】
また、中央監視センタにおいては、点検等のたびに対処許可信号を端末装置に送る必要がなくなるので、負担が軽減される。
さらに、各警戒区域において、点検等を行うため対処モードに移行する回数は予め決められているので、中央監視装置は、各警戒区域ごとに、対処モードへの移行回数を把握し、その予定回数を超えた区域については、担当地区特定コードと地区コードの一致による対処モードへの移行を禁止する。
【００１３】
【実施例】
以下、本発明を警備システムに適用した例について、図を参照して詳細に説明する。
図２は、本発明を適用した警備システムの全体構成図である。図において、符号２は、中央監視センタ１に設置され、各監視建物６を集中監視する中央監視装置を示す。符号４は、対処要員が監視建物６へ対処のために出動する際に携行する対処用カード（例えばＩＣカード）を示す。監視建物６には、一日に１回又は数回は必ず対処要員が点検等のために対処例えば巡回が行われる有巡回物件と巡回が行われない無巡回物件の２種類がある。８は交換機である。
【００１４】
中央監視装置２及び各監視建物６内のコントローラ６１は、電話回線等の通信回線５及び交換機８で接続されている。
中央監視装置２について説明する。中央監視装置２は、処理装置（ＣＰＵ）２１と、電源部２２と、各監視建物の状態、対処要員の配備状況など必要なデータを表示する表示部２３と、対処許可信号、各監視建物毎のデータや各種マスタの登録・修正・削除指示、各監視建物の開閉設備の作動許可信号等を入力する入力部２４と、処理装置２１のＯＳや建物の管理プログラム、建物のデータ等を記憶する記憶部２５と、各監視建物とのデータや指令の通信の制御を行う通信制御装置（ＣＣＵ）２６と、各監視建物６とのデータ変換を行うモデム２７とを備えている。
【００１５】
対処用カード４の内部構成を説明する。対処用カード４は、カードリーダ６８とデータの送受を行う入出力インタフェース４１、担当地区特定コード及び対処要員データ等を記憶する記憶部４４、これらを制御する制御部（ＣＰＵ）４２、並びに電源を供給する電源部４３を備えている。
監視建物６について説明する。監視建物６は端末装置であるコントローラ６１を有し、このコントローラ６１は、定まった監視区域の火災、侵入者、設備などの建物を監視するのに必要な各種センサ（Ｓ）６３を接続するローカルコントローラ６２、電気錠６６を制御する電気錠コントローラ６７及び出入り口近傍に設置されるカードリーダ６８を有し、それぞれがＬＡＮ６９を介して接続される。
【００１６】
次に、図３を用いてコントローラ６１の内部構成について説明する。コントローラ６１は、中央監視装置２との通信の制御を行う通信制御部６１２、モデム６１１、中央監視装置２とコントローラ６１との通信状態、例えば通信回線５の異常や通信制御部６１２の故障などを監視し異常を検出する通信状態監視部６１９、ＬＡＮ６９に接続された機器との通信の制御を行うＬＡＮ通信制御部６１７、ＬＡＮ６９とコントローラ６１とを接続するためのＬＡＮインタフェース６１８、コントローラの電源部６１４、並びにこれらを制御する制御部（ＣＰＵ）６１３を有する。
【００１７】
さらにコントローラ６１は、コントローラを動作させるプログラム、各種制御を行うためのデータやパラメータ等を記憶する記憶部（ＲＡＭ）６１５、（ＲＯＭ）６１６を有する。
記憶部（ＲＡＭ）６１５の記憶内容について図１（ａ）（ｂ）を用いて説明する。記憶部（ＲＡＭ）６１５には、本システムに使用可能なカードであるか否かを識別するためのカード識別データ、巡回の有無、コントローラ６１の所属する地区を特定する地区コード、対処許可信号の有無、対処要員データ、対処不許可信号の有無が記憶され、さらに、対処用カード４から読み込んだカードデータが記憶される。
【００１８】
なお、図１（ａ）は巡回を行う有巡回物件における記憶内容を示し、図１（ｂ）は巡回を必要としない通常物件であって、かつ中央監視装置２から対処許可信号と対処要員データが送られてきた物件における記憶内容を示す。
また、以上の各記憶内容のうち、書換えの必要のないものについては記憶部（ＲＯＭ）６１６に記憶させることもできる。
【００１９】
次に、本実施例の動作について図４のフローチャートを参照しながら説明する。本願発明では、対処モードとして説明するが対処モードとは対処要員が正当な理由で監視建物６内に入館できるモードを言う。つまり、巡回モード、保守モード、警戒解除モード等である。
以下の説明においては、便宜上定期的巡回を行う対処要員が監視建物６に到着した場合の動作（巡回モード）、及び、ある監視建物６の一つのセンサ６３が異常を検出し、中央監視装置２の管制員から対処指示が出された対処要員が監視建物６に到着した場合の動作（対処モード）に分けて説明する。ここで、監視建物６は、無人であって、中央監視装置２による遠隔監視中である監視モードに設定されている。
【００２０】
始めに、対処要員が有巡回物件に対して定期的な巡回を行う場合について説明をする。有巡回物件のコントローラ６１の記憶部（ＲＡＭ）６１５の記憶内容は図１（ａ）に示すとおりとなる。すなわち、巡回は有となり、中央監視装置２から対処許可信号が送信されないのであるから、対処許可信号は無となる。また、対処不許可信号の詳細については後述するが、ここでは、対処不許可信号は無となっているものとする。
【００２１】
対処要員は、巡回を行う監視建物６に到着すると、監視建物６へ入館するときに、出入口近傍に設置されているカードリーダ６８で対処用カード４を操作する。この対処用カード４の記憶部４４の記憶内容は図１（ｃ）に示すとおりである。
図４のステップＳ１１で、対処用カード４がカードリーダ６８で操作されると、カードリーダ６８から対処用カード４に対して、カードデータの読み出し命令が送出される。対処用カード４では、記憶部４４からカード識別データ、有効期限データ、担当地区特定コード及び対処要員データ等を含むカードデータを読み込み、カードリーダ６８に送信する。カードリーダ６８では、そのカードデータをコントローラ６１へ送信する。コントローラ６１は、このカードデータを、記憶部（ＲＡＭ）６１５に格納する。
【００２２】
ステップ１２で、記憶部（ＲＡＭ）６１５に格納されたカードデータのカード識別データと記憶部（ＲＡＭ）６１５に予め記憶されているカード識別データとを処理部６１３において照合する。照合結果がＮＧであれば、「対処（巡回）モード」への移行がなされず、中央監視装置２へ対処モード不移行信号が送信される（ステップＳ２２）。また、照合結果がＯＫの場合は、ステップＳ１３へ移行する。
【００２３】
ステップＳ１３では、記憶部（ＲＡＭ）６１５に格納されたカードデータから有効期限データを読み出し、現在の日時分が有効期限内にあるか否かを処理部６１３において照合する。照合結果がＮＧであれば、「対処（巡回）モード」への移行がなされない（ステップＳ２２）。また、照合結果がＯＫの場合は、ステップＳ１４へ移行する。
【００２４】
ステップＳ１４では、巡回の場合は、中央監視装置２から対処許可信号が送られていないのであるから、記憶部（ＲＡＭ）６１５に記憶されている対処許可信号は無となり、ステップＳ１５へ進むこととなる。
ステップＳ１５では、コントローラ６１の記憶部（ＲＡＭ）６１５に予め記憶されている巡回設定の有無が判定される。対処要員が入館しようとする監視建物が巡回設定の無い通常物件の場合、照合結果がＮＧとなり、「対処（巡回）モード」への移行がなされない（ステップＳ２２）。また、照合結果がＯＫの場合は、ステップＳ１６へ移行する。
【００２５】
ステップＳ１６では、記憶部（ＲＡＭ）６１５に格納されたデータから対処不許可信号の有無を照合する。対処不許可信号があれば、「対処（巡回）モード」への移行がなされない（ステップＳ２２）。また、対処不許可信号がなければ、ステップＳ１７へ移行する。
ここで、対処不許可信号について説明する。この対処不許可信号は、後述のステップＳ２１において説明するように、対処、巡回等により対処（巡回）モードに設定された回数が所定期間内に予定回数に到達した場合に、中央監視センタ１から送信されてくるものである。予定回数の巡回が終了すると、中央監視センタから対処不許可信号を受信するので、記憶部６１５は、対処不許可信号有に設定される。
【００２６】
したがって、巡回が所定期間内に予定回数内で行われている場合（例えば、１日３回）には、この対処不許可信号は無であるからステップＳ２２へ移行することはない。しかしながら、正規の巡回の後に対処用カード４が不正使用されて監視建物６内へ不正入館がされた場合は、対処不許可信号は有であるから、ステップＳ１６からステップＳ２２へ進み、対処（巡回）モードへの移行はされずに、中央監視装置２へ対処（巡回）モード不移行信号が送出され、中央監視センタ１においてその状況の把握がされる。
【００２７】
これによって、対処要員が必要以上に巡回物件へ入館するのを防止できる。なお、対処要員の交替時刻又は巡回サイクルに応じてあらかじめ設定された時刻、例えば９時、になると記憶部６１５の対処不許可信号は自動的にクリアされ無となる。
ステップＳ１７では、記憶部（ＲＡＭ）６１５に格納されたカードデータから読み取った担当地区特定コードを読み出し、記憶部（ＲＡＭ）６１５に予め記憶されている地区コードと処理部６１３において照合する。照合結果がＮＧであれば、「対処（巡回）モード」への移行がなされない（ステップＳ２２）。また、照合結果がＯＫの場合は、ステップＳ１９へ移行する。
【００２８】
ステップＳ１９では、コントローラ６を対処（巡回）モードへ移行させ、ステップＳ２０で電気錠の解錠信号を送出する。対処要員は、扉をあけて対処（巡回）モードとなっている監視建物内へ入ることができる。
ステップＳ２１では、対処（巡回）モードへ移行したことを示す対処（巡回）モード移行信号を中央監視装置２へ送出する。
【００２９】
中央監視装置２では、当該監視建物６が対処（巡回）モードへ移行したことを把握する。また、中央監視装置２においては、各監視建物ごとに、対処（巡回）モードへ移行した回数をその記憶部２５に記憶する。そして、処理装置２１は、その巡回回数を予定回数と比較し、巡回回数が巡回予定回数に達すると、対処不許可信号を当該監視建物６のコントローラ６１に送信する。
【００３０】
なお、記憶部２５に記憶された巡回回数は、対処要員の交替時刻又は巡回サイクル等に応じてあらかじめ設定された時刻、例えば９時、になると自動的にクリアされる。
以上説明した例によれば、対処用カード４に担当地区特定コードを記憶させたことにより、中央監視装置２からコントローラ６に対して巡回ごとに対処許可信号を送信しなくとも、正規の対処要員は対処用カードを用いて担当監視建物に入館することができることとなる。したがって、これまで監視建物ごとに預かってきたカードが必要なくなると同時に、中央監視装置２から対処許可信号をその都度送信する必要がなくなるので、中央監視センタ１の管制員の負担が軽減される。
【００３１】
次に、中央監視装置２の管制員からの指示により、対処要員が監視建物６へ到着した場合について説明する。以下の説明では、この監視建物６は巡回が行われない通常物件であるとするが、有巡回物件の監視建物の場合も同様な動作が行われる。
センサ６３が異常検出した場合、中央監視センタ１からは、中央監視装置２により対処要員に対して指示を出すと同時に、対処許可信号及び対処要員データを当該監視建物６のコントローラ６１に送信する。
【００３２】
コントローラ６１では、中央監視装置２から送信されてきた対処許可信号を受信すると、記憶部（ＲＡＭ）６１５にその対処許可信号を格納する。その結果、記憶部（ＲＡＭ）６１５の記憶内容は、図１（ｂ）に示すようになる。
対処要員は、異常の発生している監視建物６に到着すると、監視建物６へ入館するときに、出入口近傍に設置されているカードリーダ６８で対処用カード４を操作する。この対処用カード４の記憶部４４の記憶内容は図１（ｃ）に示すとおりである。
【００３３】
対処要員が監視建物に到着し、カードリーダ６８で対処用カード４を操作してから、ステップＳ１４に進むまでは、前述の例と同様である。
ステップＳ１４では、記憶部（ＲＡＭ）６１５に記憶された対処許可信号の有無を読み出し、無であればステップＳ１５へ進むが、本例では対処許可信号が有となっているので、ステップＳ１８へ移行する。
【００３４】
ステップ１８では、記憶部（ＲＡＭ）６１５に記憶された対処要員データと、カードデータの対処要員データを読み出し、両者を処理部６１３において照合する。照合結果がＮＧであれば、「対処モード」への移行がなされず、電気錠の解錠も行われない（ステップＳ２２）。また、照合結果がＯＫの場合はステップＳ１９へ移行する。
【００３５】
ステップＳ１９以降については、前述の説明通りであるので、重複する説明は省略する。
なお、対処要員による対処が終了し、所定の操作により再度「監視モード」に移行した後は、記憶部（ＲＡＭ）６１５に記憶された対処許可信号及び対処要員データはクリアされ、そのカードで再度入館できないようにされる。
【００３６】
以上説明したように、対処を行おうとする対処要員は対処用カード４を用いるだけで、センサ６３が異常を検知した監視建物６へ入館できるようになるので、これまで監視建物ごとに預かってきたカードが必要なくなる。また、万一悪意の人間が対処用カード４を不正に入手したとしても、監視建物６に対処許可信号が送信されていなければ入館できなず、送信されていたとしても、対処要員データが一致しなければ入館できない。
【００３７】
なお、以上説明してきた実施例では、監視建物の開閉設備の例示として電気錠の例を示したが、オートドアやシャッターの制御、その他設備に限らず認証が必要なシステムに本発明を適用できるのは、言うまでもない。
【００３８】
【発明の効果】
本発明によれば、中央監視装置から受信した対処データと対処要員が入力した対処データとの照合により、対処モード等への移行が可能となる集中監視システムにおいて、対処要員が巡回を行うとき、中央監視センタから対処許可信号を送信する必要がなくなり、中央監視センタの管制員の負担を軽減することができる。
【００３９】
さらに、本発明によれば、上記のように管制員の負担を軽減しても、対処要員が不正に対処用カードを使用して監視建物に入館することを防止することができ、信頼性が更に高まるという効果がある。
【図面の簡単な説明】
【図１】本願発明の実施例における、コントローラの記憶部の記憶内容と、対処用カードの記憶部の記憶内容を説明するための図。
【図２】本発明の実施例の全体構成図。
【図３】図２におけるコントローラの概略構成図。
【図４】図２におけるコントローラの処理手順を示すフローチャート。
【符号の説明】
１…中央監視センタ
２…中央監視装置
２１…処理装置（ＣＰＵ）
２２…電源部
２３…表示部
２４…入力部
２５…記憶部
２６…通信制御装置
２７…モデム
４…対処用カード
４１…入出力インタフェース
４２…制御部（ＣＰＵ）
４３…電源部
４４…記憶部
５…通信回線
６…監視建物
６１…コントローラ（端末装置）
６１１…モデム
６１２…通信制御部
６１３…制御部（ＣＰＵ）
６１４…電源部
６１５…記憶部（ＲＡＭ）
６１６…記憶部（ＲＯＭ）
６１７…ＬＡＮ通信制御部
６１８…ＬＡＮインタフェース
６１９…通信状態監視部
６２…ローカルコントローラ
６３…各種センサ
６６…電気錠
６７…電気錠コントローラ
６８…カードリーダ
６９…ＬＡＮ
８…交換機
【図１】
0003630455.tif 000002
【図２】
0003630455.tif 000003
【図３】
0003630455.tif 000004
【図４】
0003630455.tif 000005